(57)【要約】【課題】リマインド効果を奏し、また、家族のコミュニケーションを醸成する雰囲気作りを演出する画像再生装置、画像再生方法及びプログラムを提供する。【解決手段】画像を切り替えながら再生表示する画像再生装置において、イベントの日付を含むイベント情報を設定するイベント情報設定手段と、前記イベント情報設定手段により設定された前記イベント情報に基づいて記憶手段に記憶されている画像から関連画像を検索する検索手段と、現在の日付から前記イベントの日付までのイベント待ち期間を算出する期間算出手段と、前記期間算出手段により算出された前記イベント待ち期間に基づいて再生すべき画像に対して、前記検索手段により検索された前記関連画像を割り込ませるための表示割合を決定する表示割合決定手段と、前記表示割合決定手段により決定された表示割合で前記再生すべき画像に対して前記関連画像を割り込ませたイベント関連画像群を表示させる表示制御手段とを有する。【選択図】図２
2010258665.tif 000002
【特許請求の範囲】
【請求項１】
画像を切り替えながら再生表示する画像再生装置において、
イベントの日付を含むイベント情報を設定するイベント情報設定手段と、
前記イベント情報設定手段により設定された前記イベント情報に基づいて記憶手段に記憶されている画像から関連画像を検索する検索手段と、
現在の日付から前記イベントの日付までのイベント待ち期間を算出する期間算出手段と、
前記期間算出手段により算出された前記イベント待ち期間に基づいて再生すべき画像に対して、前記検索手段により検索された前記関連画像を割り込ませるための表示割合を決定する表示割合決定手段と、
前記表示割合決定手段により決定された表示割合で前記再生すべき画像に対して前記関連画像を割り込ませたイベント関連画像群を表示させる表示制御手段とを有する
画像再生装置。
【請求項２】
前記表示割合決定手段は、前記期間算出手段により算出された前記イベント待ち期間が短くなるにつれて前記関連画像の表示割合を増加させる請求項１に記載の画像再生装置。
【請求項３】
前記表示割合決定手段は、前記期間算出手段により算出された前記イベント待ち期間が短くなるにつれて前記再生すべき画像の表示枚数のうち前記関連画像の表示枚数を増加させる請求項２に記載の画像再生装置。
【請求項４】
前記表示割合決定手段は、前記期間算出手段により算出された前記イベント待ち期間が短くになるにつれて前記再生すべき画像の表示時間のうち前記関連画像の表示時間を増加させる請求項２に記載の画像再生装置。
【請求項５】
前記検索手段は前記イベント情報設定手段により設定された前記イベント情報と画像に関連付けして記憶されている画像付属情報とを照合して前記関連画像を検索する請求項１に記載の画像再生装置。
【請求項６】
前記検索手段は前記イベント情報に基づいて前記記憶手段に記憶されている関連情報を検索し、
前記表示制御手段は前記イベント関連画像群の表示と同時に前記関連情報を表示させる請求項１に記載の画像再生装置。
【請求項７】
前記イベントは複数のイベントとからなり、
前記表示割合決定手段は前記複数のイベントのイベント待ち期間を比較してイベント待ち期間の短い順にイベントの関連画像の表示割合を増加させる
請求項１に記載の画像再生装置。
【請求項８】
画像を切り替えながら再生する画像表示方法において、
イベントの日付を含むイベント情報を設定するイベント情報設定ステップと、
前記イベント情報設定ステップにより設定されたイベント情報に基づいて記憶されている画像から関連画像を検索する検索ステップと、
現在の日付から前記イベントの日付までのイベント待ち期間を算出する期間算出ステプと、
前記前記期間算出ステップにより算出されたイベント待ち期間に基づいて再生すべき画像に対して、前記検索された前記関連画像を割り込ませるための表示割合を決定する表示割合決定ステップと、
前記表示割合で前記再生すべき画像に対して前記関連画像を割り込ませたイベント関連画像群を表示させる表示制御ステップとを備える
画像再生方法。
【請求項９】
コンピュータを、
画像を切り替えながら再生させる画像再生手段と、
イベントの日付を含むイベント情報を設定するイベント情報設定手段と、
前記イベント情報設定手段により設定された前記イベント情報に基づいて記憶手段に記憶されている画像から関連画像を検索する検索手段と、
現在の日付から前記イベントの日付までのイベント待ち期間を算出する期間算出手段と、
前記期間算出手段により算出された前記イベント待ち期間に基づいて再生すべき画像に対して、前記検索手段により検索された前記関連画像を割り込ませるための表示割合を決定する表示割合決定手段と、
前記表示割合で前記再生すべき画像に対して前記関連画像を割り込ませたイベント関連画像群を表示させる表示制御手段として機能させる
プログラム。
【発明の詳細な説明】
【技術分野】
【０００１】
本発明は、例えば、デジタルフォトフレームのような画像再生装置、画像再生方法及びプログラムに関する。
【背景技術】
【０００２】
従来、画像を切り替えながら再生表示する電子カレンダ、カメラ、画像再生システム等が考案されている。
特許文献１に記載の電子カレンダは、表示部を有した表示画面を有する。その表示画面はカレンダの年月情報と、カレンダ本体表示と、カレンダの飾りを表示する。カレンダ飾りは、例えば、年月情報に関連した写真を表示する。
【０００３】
特許文献２に記載のカメラでは、イベントが所定の時間内に到来することを検知すると、自動的に電源を投入し、光や音声、表示などにより予定日時の到来を報知する。
【０００４】
特許文献３に記載の画像再生システムは、登録された記念日情報と各写真画像の撮影日時とに基づいて表示優先度を設定する。そして、スライドショー表示の開始が指示されると、表示優先度の高い写真画像が自動的に読み出されて、スライドショー表示が実行される。
【先行技術文献】
【特許文献】
【０００５】
【特許文献１】特開２００８−２２５５６２号公報
【特許文献２】特開２００６−１７３９８４号公報
【特許文献３】特開２００３−６９８７６号公報
【発明の概要】
【発明が解決しようとする課題】
【０００６】
しかしながら、上記カレンダと連動した写真表示では、当月・当日まで写真表示を待たなければ、写真が表示されない。よって、プレゼント等の準備が記念日までに必要な場合、記念日までに十分なリマインド効果を得ることができない。また、そのような記念日は、当日までの雰囲気づくりに重要であるため、単純なアラーム・写真表示では、家族のコミュニケーション・シーンに適さない。
【０００７】
そこで、本発明は、以上の点に鑑みてなされたものであり、リマインド効果を奏し、また、家族のコミュニケーションを醸成する雰囲気作りを演出する画像再生装置、画像再生方法及びプログラムを提供することを課題とする。
【課題を解決するための手段】
【０００８】
上記課題を解決するために、請求項１に記載の画像再生装置は、画像を切り替えながら再生表示する画像再生装置において、イベントの日付を含むイベント情報を設定するイベント情報設定手段と、前記イベント情報設定手段により設定された前記イベント情報に基づいて記憶手段に記憶されている画像から関連画像を検索する検索手段と、現在の日付から前記イベントの日付までのイベント待ち期間を算出する期間算出手段と、前記期間算出手段により算出された前記イベント待ち期間に基づいて再生すべき画像に対して、前記検索手段により検索された前記関連画像を割り込ませるための表示割合を決定する表示割合決定手段と、前記表示割合決定手段により決定された表示割合で前記再生すべき画像に対して前記関連画像を割り込ませたイベント関連画像群を表示させる表示制御手段とを有する。
【０００９】
請求項２に記載の画像再生装置は、請求項１に記載の画像再生装置において、前記表示割合決定手段は、前記期間算出手段により算出された前記イベント待ち期間が短くなるにつれて前記関連画像の表示割合を増加させる。
【００１０】
請求項３に記載の画像再生装置は、請求項２に記載の画像再生装置において、前記表示割合決定手段は、前記期間算出手段により算出された前記イベント待ち期間が短くなるにつれて前記再生すべき画像の表示枚数のうち前記関連画像の表示枚数を増加させる。
【００１１】
請求項４に記載の画像再生装置は、請求項２に記載の画像再生装置において、前記表示割合決定手段は、前記期間算出手段により算出された前記イベント待ち期間が短くになるにつれて前記再生すべき画像の表示時間のうち前記関連画像の表示時間を増加させる。
【００１２】
請求項５に記載の画像再生装置は、請求項１に記載の画像再生装置において、前記検索手段は前記イベント情報設定手段により設定された前記イベント情報と画像に関連付けして記憶されている画像付属情報とを照合して前記関連画像を検索する。
【００１３】
請求項６に記載の画像再生装置は、請求項１に記載の画像再生装置において、前記検索手段は前記イベント情報に基づいて前記記憶手段に記憶されている関連情報を検索し、
前記表示制御手段は前記関連画像を割り込ませた画像群の表示と同時に前記関連情報を表示させる。
【００１４】
請求項７に記載の画像再生装置は、請求項１に記載の画像再生装置において、前記イベントは複数のイベントとからなり、前記表示割合決定手段は前記複数のイベントのイベント待ち期間を比較してイベント待ち期間の短い順にイベントの関連画像の表示割合を増加させる。
【００１５】
請求項８に記載の画像再生方法は、画像を切り替えながら再生する画像表示方法において、イベントの日付を含むイベント情報を設定するイベント情報設定ステップと、前記イベント情報設定ステップにより設定されたイベント情報に基づいて記憶されている画像から関連画像を検索する検索ステップと、現在の日付から前記イベントの日付までのイベント待ち期間を算出する期間算出ステプと、前記前記期間算出ステップにより算出されたイベント待ち期間に基づいて再生すべき画像に対して、前記検索された前記関連画像を割り込ませるための表示割合を決定する表示割合決定ステップと、前記表示割合で前記再生すべき画像に対して前記関連画像を割り込ませたイベント関連画像群を表示させる表示制御ステップとを備える。
【００１６】
請求項９に記載のプログラムは、コンピュータを、画像を切り替えながら再生させる画像再生手段と、イベントの日付を含むイベント情報を設定するイベント情報設定手段と、
前記イベント情報設定手段により設定された前記イベント情報に基づいて記憶手段に記憶されている画像から関連画像を検索する検索手段と、現在の日付から前記イベントの日付までのイベント待ち期間を算出する期間算出手段と、前記期間算出手段により算出された前記イベント待ち期間に基づいて再生すべき画像に対して、前記検索手段により検索された前記関連画像を割り込ませるための表示割合を決定する表示割合決定手段と、前記表示割合で前記再生すべき画像に対して前記関連画像を割り込ませたイベント関連画像群を表示させる表示制御手段として機能させる。
【発明の効果】
【００１７】
請求項１、８、及び、９に記載の発明によれば、イベントの日付の前からイベントに関連する過去の関連画像を表示するので、イベントのリマインド効果を生じさせ、家族のコミュニケーションを醸成する雰囲気作りを演出する画像再生をすることができる。
【００１８】
請求項２に記載の発明によれば、現在の日付がイベントの日付に近づくにつれて、関連画像の表示割合が増加するので、当事者の気持ちを徐々に盛り上げることができ、リマインド効果をより高めた画像再生をすることができる。
【００１９】
請求項３に記載の発明によれば、現在の日付がイベントの日付に近づくにつれて、関連画像の表示枚数が増加するので、当事者の関連画像を見る回数が増加し、当事者のイベントに対する印象を徐々に大きくさせる画像再生をすることができる。
【００２０】
請求項４に記載の発明によれば、現在の日付がイベントの日付に近づくにつれて、関連画像の表示時間が増加するので、当事者の関連画像を見る時間が増加し、当事者のイベントに対する期待を徐々に大きくさせる画像再生をすることができる。
【００２１】
請求項５に記載の発明によれば、検索手段はイベント情報と画像付属情報とを照合して関連画像を検索するので、関連画像を的確に抽出することができる。
【００２２】
請求項６に記載の発明によれば、イベント関連画像群の表示と同時に関連情報を表示するので、当事者の気持ちをさらに盛り上げる画像再生をすることができる。
【００２３】
請求項７に記載の発明によれば、イベント待ち期間の短い順にイベントの関連画像の表示割合を増加させるので、イベント待ち期間のより短いイベント程、大きな印象を与える画像再生をすることができる。
【図面の簡単な説明】
【００２４】
【図１】実施形態に係る画像再生装置の外観を示す概要図である。
【図２】図１に示す画像再生装置の概要構成を示すブロック図である。
【図３】写真画像の画像付属情報を示すテーブルである。
【図４】（Ａ）はスライドショーモードにおける関連画像の表示割合を示すテーブルであり、（Ｂ）はマルチ表示モードにおける関連画像の表示割合を示すテーブルであり、（Ｃ）はシングル表示モードにおける関連画像の表示割合を示すテーブルである。
【図５】図１に示す画像再生装置の制御処理を示すフローチャートである。
【図６】図５に示す画像表示処理のフローチャートである。
【図７】メインメニューの表示画面を示す概要図である。
【図８】（Ａ）、（Ｂ）はイベント日付けの設定のための表示画面を示す概要図である。
【図９】（Ａ）は他のイベント情報を選択するための表示画面の概要図であり、（Ｂ）はイベントの場所を選択するための表示画面の概要図である。
【図１０】（Ａ）は画像ＩＤを入力するための表示画面の概要図であり、（Ｂ）はイベントの種類を選択するための表示画面の概要図である。
【図１１】（Ａ）はイベント設定モードの終了を入力するための表示画面の概要図であり、（Ｂ）は表示モードを選択するための表示画面の概要図である。
【図１２】（Ａ）、（Ｂ）、（Ｃ）はイベントの日付の前においてスライドショーモードで表示されたイベント関連画像群を示す概略図である。
【図１３】（Ａ）、（Ｂ）、（Ｃ）はイベントの日付の前においてマルチ表示モードで表示されたイベント関連画像群を示す概略図である。
【図１４】（Ａ）、（Ｂ）はイベントの日付の前においてシングル表示モードで表示されたイベント関連画像群を示す概略図である。
【図１５】結婚記念日の関連画像及び関連テンプレートを表示した表示画面の概要図である。
【図１６】誕生日の関連画像及び関連テンプレートを表示した表示画面の概要図である。
【図１７】画像一覧から画像を選択するための表示画面の概要図である。
【発明を実施するための形態】
【００２５】
以下、本発明の最良の実施形態を図面に基づいて説明する。なお、以下に説明する実施の形態は、本発明を画像を切り替えながら再生表示する画像再生装置１に適用したものである。図１に示すように、画像再生装置１は、凹部を有する矩形のフレーム１０と、フレーム１０の凹部に設置された表示部１１を有する。
【００２６】
図２に示すように、画像再生装置１は、表示部１１に加えて、日付を設定するための日付設定部１２と、記憶部１３と、操作部１４と、各部１１、１２、１３、１４を統括的に制御する制御部１５とを有する。
【００２７】
表示部１１は、例えば、液晶、又は、有機ＥＬ（Electro-Luminescence）からなるパネルを有する。表示部１１の表示画面は、画像、カレンダ、文字列、ＧＵＩ画面（グラフィカルユーザーインターフェース画面）、ＧＵＩボタン（ＧＵＩ画面に表示されているボタン）を表示する。画像は、例えば、写真画像とする。
【００２８】
日付設定部１２は、タイマー回路で構成され、時刻を計算する時計機能、及び、日付（年月日）を計算するカレンダ機能を有する。
【００２９】
記憶部１３は、例えば、フラッシュメモリドライブ又はハードディスクドライブである。記憶部１３は、写真画像に係わる画像データ１３ａ、写真画像に関連付けられた画像付属情報１３ｂ及び、イラスト、文字列などのテンプレート１３ｃを格納する。ここで、画像付属情報１３ｂとは、写真画像に付随する情報であり、例えば、撮影の年月日、ＧＰＳ緯度及び経度からなる撮影場所、画像毎に固有の画像ＩＤ、タグ（キーワード）検索用のタグである（図３参照（タグ欄は図示省略））。記憶部１３は、画像データ１３ａから検索された関連画像の関連画像データ１３ｄと、テンプレート１３ｃから検索された関連テンプレート１３ｅを格納する。記憶部１３は、関連画像の表示割合を決定する表示割合テーブル１３ｆを格納する（図４参照）。
【００３０】
操作部１４は、例えば、ＧＵＩ画面上に表示されたメニューを選択するためのメニュースイッチと、選択したメニューを確定するための機能ボタンを有する。メニュースイッチ及び機能ボタンは、例えば、フレーム１０の背面に設置される。なお、操作部１４は、リモコンを用いてもよい。
【００３１】
制御部１５は、画像再生装置１を統括制御するＣＰＵ（Central Processing Unit）と、ＣＰＵの制御プログラムを格納するＲＯＭ（Read Only Memory）と、ＣＰＵの制御処理に必要なデータを一時的に記憶するＲＡＭ（Random Access Memory）を有する。制御部１５は、画像を切り替える時間、表示する順序を規定するテーブルを参照して表示制御を行う。テーブルは記憶部１３に記憶されており、制御部１５は記憶部１３からＲＡＭにテーブルを書き込ませてテーブルを使用する。
【００３２】
制御部１５は、本願発明のイベント情報設定手段１５ａ、検索手段１５ｂ、期間算出手段１５ｃ、表示割合決定手段１５ｄ、表示制御手段１５ｅとして機能する。
【００３３】
即ち、イベント情報設定手段１５ａは、イベントの日付（年月日）を含むイベント情報を設定する。このイベント情報は、イベントの日付（年月日）の他にも、例えば、イベントの場所、画像ＩＤ、又は、イベントの種類等の情報である。
【００３４】
検索手段１５ｂは、記憶部１３に記憶されている写真画像から設定されたイベント情報に基づいて関連画像を検索する。
【００３５】
また、期間算出手段１５ｃは、現在の日付からイベントの日付までのイベント待ち期間を算出する。
【００３６】
表示割合決定手段１５ｄは、イベント待ち期間に基づいて、表示モードにおける再生すべき写真画像に対して関連画像を割り込ませるための表示割合を決定する。
【００３７】
表示制御手段１５ｅは、前記表示割合で再生すべき写真画像に対して関連画像を割り込ませたイベント関連画像群を表示モードで表示部１１の表示画面に表示させる。
【００３８】
ここで、イベントとは、例えば、誕生日、結婚等の記念日、又は、クリスマス、正月、盆等の年間行事である。関連画像は、例えば、上述のイベントにおいて撮影された写真画像である。表示モードは、例えば、スライドショーモード、マルチ表示モード、シングル表示モードを有する。
【００３９】
また、表示割合決定手段１５ｄについて詳細に説明すると、前記イベント待ち期間が短くなるにつれて前記関連画像の表示割合を増加させる。また、表示割合決定手段１５ｄは、イベント待ち期間が短くなるにつれて、スライドショーモード、マルチ表示モードにおける再生すべき写真画像の表示枚数のうち関連画像の表示枚数を増加させる。また、表示割合決定手段１５ｄは、イベント待ち期間が短くなるにつれて、シングル表示モードにおける固定写真画像の表示時間のうち関連画像の表示時間を増加させる。
【００４０】
次に、図５を用いて画像再生装置１の制御処理について説明する。
【００４１】
図５に示す制御処理は、ユーザが電源をオンにすると、制御部１５はＲＯＭの制御プログラムを実行し、制御がスタートする。
【００４２】
まず初めに制御部１５は初期設定を実行する（Ｓ１１）。ここで言う初期設定とは、図７に示すように表示部１１の表示画面に、現在の日付、並びに、「イベント設定モード」及び「画像表示モード」を示すＧＵＩボタンを有するメインメニュー画面を表示させる。上述の「イベント設定モード」とは、イベントの日付等のイベント情報を設定するモードである。また、「画像表示モード」とは、各種表示モードでイベント関連画像群を表示するモードである。
続いて、ステップＳ１２の処理にて、制御部１５は、日付が更新されたかどうかを判断する（Ｓ１２）。ステップＳ１２の処理で日付が更新されたと判断した場合（Ｓ１２：ＹＥＳ）、次にイベント設定モードが設定されたどうかの判断を実行する（Ｓ１３）。
また、ステップＳ１２の処理で、制御部１５は日付が更新されていないと判断した場合（Ｓ１２：Ｎ０）、再度ステップＳ１２の処理を繰り返し実行する。
具体的には、ステップＳ１２の処理では、制御部１５は日付設定部１２から現在の日付情報をＲＡＭに読み込ませ、日付が更新されたどうかを判断する。ここで、日付の更新は、日付設定部１２の時計機能により時刻が２４時を過ぎたときに実施される。
【００４３】
ステップＳ１３の処理にて、制御部１５はイベント設定モードが選択されたと判断した場合（Ｓ１３：ＹＥＳ）、イベントの日付の選択（Ｓ１４）を実行する。ステップＳ１３で、制御部１５は、イベント設定モードが選択されないと判断した場合（Ｓ１３：ＮＯ）、画像表示モード（Ｓ３１）を実行する。
具体的には、ステップＳ１３の処理にて、ユーザが図７に示す表示画面上の「イベント設定モード」を操作部１４で選択し、決定した場合（Ｓ１３：ＹＥＳ）、制御部１５のイベント情報設定手段１５ａはイベント情報の設定の処理（Ｓ１４〜Ｓ１７）を実行する。なお、ユーザがイベント設定モードを選択しない場合（Ｓ１３：ＮＯ）、制御部１５は画像表示モードを自動的に実行してもよい。すなわち、制御部１５は画像表示モード（Ｓ３１）をスキップして、イベントの日付の確認（Ｓ３２）以下の処理を実行してもよい。
【００４４】
ステップＳ１４の処理にて、イベント情報設定手段１５ａはイベントの日付が選択されたと判断した場合（Ｓ１４：ＹＥＳ）、次にイベントの日付を設定する（Ｓ１５）。イベント情報手段１５ａはイベントの日付が選択されていないと判断した場合（Ｓ１４：ＮＯ）、再度、ステップＳ１４の処理を繰り返す。
具体的には、イベント情報設定手段１５ａは、図８の（Ａ）、（Ｂ）に示すように、表示部１１のＧＵＩ画面に年月日を示すカレンダを表示させる。カレンダの各年月日はＧＵＩボタンとして設定されている。ユーザが操作部１４でイベントの日付（年月日）に一致するカレンダ上の年月日（図８の（Ａ）で２００×年１０月２５日、又、図８の（Ｂ）で２００×年４月６日）を選択し、決定する（Ｓ１４：ＹＥＳ）。イベント日付の選択を条件に、イベント情報設定手段１５ａは選択した年月日をイベント情報のイベントの日付として設定する（Ｓ１５）。イベント情報設定手段１５ａはＲＡＭ及び記憶部１３にイベントの日付をイベント日付情報として格納する。なお、イベント情報設定手段１５ａは、表示部１１の表示画面に年月日の選択欄及び数字のソフトキーボードを表示させ、ユーザはソフトキーボードからイベントの年月日に一致する数字を選択欄に入力してもよい。
【００４５】
ステップＳ１６の処理にて、イベント情報設定手段１５ａは他のイベント情報が選択されたと判断した場合（Ｓ１６：ＹＥＳ）、次に他のイベント情報を設定する（Ｓ１７）。ステップＳ１６の処理で、イベント情報設定手段１５ａは他のイベント情報が選択されていないと判断した場合（Ｓ１６：ＮＯ）、制御部１５は関連画像等の検索（Ｓ１８）を実行する。
具体的には、イベント情報設定手段１５ａは、図９の（Ａ）に示すように、表示部１１のＧＵＩ画面に、他のイベント情報として「イベントの場所」、「画像ＩＤ」、「イベントの種類」を示すＧＵＩボタンを表示させる。ここで、「イベントの場所」とはイベントについて画像が撮影された場所であり、例えば、イベントが結婚記念日の場合、結婚式が行われた場所であり、イベントが誕生日の場合、該当者が生まれた場所等である。「画像ＩＤ」とは、画像に付与された認識用の文字列である。「イベントの種類」とは、イベントの性質に応じて区分されたものであり、例えば、結婚記念日、誕生日のような出来事、クリスマスのような年間行事である。
【００４６】
ここで、ユーザが操作部１４で「イベントの場所」のＧＵＩボタンを選択し、決定した場合、イベント情報設定手段１５ａは、図９の（Ｂ）に示すように、表示部１１のＧＵＩ画面上に、場所名を示すＧＵＩボタンを表示させる。ユーザは操作部１４で表示された場所名からイベントの場所名に一致する場所名を選択し、決定する。なお、イベント情報設定手段１５ａは表示部１１の表示画面に地図を表示させ、ユーザは操作部１４で地図上の場所を選択してもよい。
【００４７】
また、ユーザが操作部１４で「画像ＩＤ」のＧＵＩボタンを選択し、決定した場合、イベント情報設定手段１５ａは、図１０の（Ａ）に示すように、表示部１１のＧＵＩ画面上に画像ＩＤの入力欄及びアルファベット、数字のＧＵＩボタンを表示させる。ユーザは、操作部１４で「ＫＩＦ−００１０」のような画像ＩＤのアルファベット及び数字からなる列の全部又は一部に対応するアルファベット、数字を選択し、入力欄に入力し、決定する。
【００４８】
また、ユーザが操作部１４で「イベントの種類」を選択し、決定した場合、イベント情報設定手段１５ａは、図１０の（Ｂ）に示すように、表示部１１のＧＵＩ画面上に「結婚記念日」、「誕生日」、「クリスマス」のようなイベントの種類を示すＧＵＩボタンを表示させる。この場合、ＧＵＩボタンは、イベントの名称を表示してもよいし、イベントを意味するアイコンを表示してもよい。ユーザは操作部１４でイベントに該当するＧＵＩボタンを選択し、決定する。なお、表示部１１は表示画面に、イベントに関するタグ（キーワード）の入力欄及びソフトキーボードを表示し、ユーザがソフトキーボードで入力欄にタグを入力して、イベントの種類を特定してもよい。
以上において、ユーザが操作部１４で「イベントの場所」、「画像ＩＤ」、「イベントの種類」について情報を決定すると、イベント情報設定手段１５ａは選択された情報を他のイベント情報として設定する（Ｓ１７）。イベント情報設定手段１５ａは、ＲＡＭに他のイベント情報を書き込ませる。
【００４９】
ステップＳ１８の処理にて、制御部１５の検索手段１５ｂはＲＡＭからイベント日付情報及び他のイベント情報からなるイベント情報を読み出す。検索手段１５ｂはこのイベント情報と図３に示す写真画像の画像付属情報とを照合して記憶部１３に格納されている画像データから関連画像を検索する。検索手段１５ｂは記憶部１３に検索した関連画像を関連画像データ１３ｄとして格納させる。また、イベント情報としてイベントの種類が設定されている場合、検索手段１５ｂは、イベントの種類に基づいてテンプレート１３ｃから関連テンプレート１３ｅを検索する。ここで、関連テンプレート１３ｅとは、例えば、イベントを連想させるイラストの画像、イベントを連想させる文字列である。検索手段１５ｂは、記憶部１３に関連テンプレート１３ｅを格納させる。
【００５０】
図３において、イベント情報がイベントの日付で設定されている場合、検索手段１５ｂは、記憶部１３に格納されている画像データ１３ａからイベントの日付と一致する撮影日付（月日）の写真画像を関連画像として検索する。ここで、イベントの日付に基づく関連画像の検索は、記憶されている全ての過去の写真画像を対象にしてもよいし、現在の日付から一定期間（例えば、３年前、１年前、３ヶ月）過去の写真画像を対象にしてもよい。この一定期間はイベントの種類によって異なっていてもよく、ユーザによって設定されてもよい。
【００５１】
イベント情報がイベントの場所で設定された場合、検索手段１５ｂは、記憶部１３に格納されている画像データ１３ａからイベントの場所と一致する撮影場所（ＧＰＳ緯度及び経度）の写真画像を関連画像として検索する。
【００５２】
イベント情報が画像ＩＤで設定された場合、検索手段１５ｂは、記憶部１３に格納されている画像データ１３ａから設定されたアルファベット及び数字と一致する画像ＩＤの写真画像を関連画像として検索する。
【００５３】
検索手段１５ｂは、イベントの日付に、イベントの場所、画像ＩＤ及びイベントの種類のうち少なくとも１つを組み合わせて、関連画像を検索してもよい。
【００５４】
例えば、イベント情報として「１０月２５日」のイベントの日付、及び、イベントの種類として「結婚記念日」が設定された場合、検索手段１５ｂは、記憶部１３に記憶されている画像データから「１０月２５日」に一致する撮影月日の写真画像を検索する。さらに、検索手段１５ｂは、画像認識技術を用いて、検索した写真画像から結婚記念日と推定される写真画像を関連画像として特定する。
【００５５】
例えば、イベント情報として「４月６日」のイベントの日付、及び、イベントの種類として「誕生日」が設定された場合、検索手段１５ｂは、記憶部１３に記憶されている画像データから「４月６日」の撮影月日の写真画像を検索する。さらに、検索手段１５ｂは、画像認識技術を用いて、検索した写真画像から誕生日と推定される写真画像を関連画像として特定する。
【００５６】
また、検索手段１５ｂは、関連テンプレートを検索する場合、イベントの種類に基づいて、記憶部１３に記憶されているテンプレートからイベントに関連するイラスト、文字列等の関連テンプレートを関連情報として検索する。例えば、イベントの種類が結婚記念日である場合、関連テンプレートは、結婚記念日の日付、ウェディングケーキのイラスト、及び、「結婚記念日」、「結婚おめでとう」、「ケーキ入刀！！」の文字列である。イベントの種類が誕生日である場合、関連テンプレートは、誕生日の日付、バースデイケーキのイラスト、及び、「誕生日」、「Ｈａｐｐｙ  Ｂｉｒｔｈｄａｙ！！」等の文字列である。
【００５７】
ステップＳ１９の処理にて、制御部１５は、関連画像があると判断した場合（Ｓ１９：ＹＥＳ）、抽出した関連画像に画像付属情報としてイベントフラグを付与する（Ｓ２０、図３参照）。また、ステップＳ１９の処理にて、制御部１５は、関連画像がないと判断した場合（Ｓ１９：ＮＯ）、関連プレートがあるかどうかの判断を実行する（Ｓ２１）。
【００５８】
ステップＳ２１の処理にて、制御部１５は、関連テンプレートがあると判断した場合（Ｓ２１：ＹＥＳ）、関連テンプレートに対応する関連画像に画像付属情報としてフラグを付与する（Ｓ２２、図３参照）。また、ステップＳ２１の処理にて、制御部１５は、関連テンプレートがないと判断した場合（Ｓ２１：ＮＯ）、イベント設定モードの終了をするかどうかの判断（Ｓ２３）を実行する。
【００５９】
ステップＳ２３の処理にて、制御部１５は、イベント設定モードを終了すると判断した場合（Ｓ１２：ＹＥＳ）、次に、制御部１５は画像再生装置１をスタンバイ状態にする、又は、表示部１１の表示画面にメニューを表示させる（Ｓ２４）。ステップＳ２３の処理で、制御部１５はイベント設定モードが終了していないと判断した場合（Ｓ２３：ＮＯ）、再度ステップＳ２３の処理を繰り返し実行する。
すなわち、ステップＳ２３の処理にて、図１１の（Ａ）に示すように、制御部１５は、ＧＵＩ画面上でイベント設定モードの「終了」を示すＧＵＩボタンを表示させる。ユーザが操作部１４で「終了」のボタンを選択すると、制御部１５はイベント設定モードを終了させる。そしてステップＳ２４の処理にて、制御部１５は、画像再生装置１をスタンバイ状態にさせ、表示部１１の表示画面に図７に示すメインメニュー画面を表示させる。
【００６０】
次に、ステップＳ１３の処理にて、イベント設定モードではないと判断した場合（Ｓ１３：ＮＯ）、画像表示モードを実行する（Ｓ３１）。
具体的には、ステップＳ３１の処理にて、ユーザが図７に示す表示部１１のＧＵＩ画面において、操作部１４で「画像表示モード」を選択し、決定した場合、制御部１５はステップＳ３２以下の画像表示モードの処理を実行する。
【００６１】
ステップＳ３２の処理にて、制御部１５は、イベントの日付を確認し、記憶部１３からＲＡＭにイベント日付情報を書き込ませ、また、現在の日付情報をＲＡＭに書き込ませる。そして期間算出手段１５ｃは、ＲＡＭからイベント日付情報及び現在の日付情報を読み出し、現在の日付からイベントの日付までのイベント待ち期間を算出する。期間算出手段１５ｃは、ＲＡＭにイベント待ち期間を書き込ませる。
【００６２】
次にＳ３３の処理にて、ステップＳ３２で算出されたイベント待ち期間が一ヶ月以内かどうかを判断する（Ｓ３３）。そして制御部１５は、現在の日付がイベントの日付までのイベント待ち期間が１ヶ月以内であると判断した場合（Ｓ３３：ＹＥＳ）、画像表示処理（Ｓ３４）を実行する。ステップＳ３３の処理で、制御部１５は、現在の日付がイベントの日付まで１ヶ月以内でないと判断した場合（Ｓ３３：ＮＯ）、再度ステップＳ３３の処理を繰返し実行する。なお、ステップＳ３３での１ヶ月は例示であり、例えば３ヶ月、６ヶ月、１年等でもよく、また、ユーザが任意に設定してもよい。
【００６３】
次に、図６を用いて、ステップＳ３４（図５）の画像表示処理について説明する。まず、ステップＳ１０１の処理において、制御部１５は、スライドショーモードが選択されたかどうかを判断する（Ｓ１０１）。スライドショーモードが選択されたと判断した場合（Ｓ１０１：ＹＥＳ）、スライドショーモードの表示割合テーブルの参照を実行する（Ｓ１０２）。一方、ステップＳ１０１の処理で、制御部１５は、スライドショーモードを選択されていないと判断した場合（Ｓ１０１：ＮＯ）、マルチ表示モードが選択されたかどうかの判断を実行する（Ｓ１０９）。
具体的には、ステップＳ１０１の処理にて、図１１の（Ｂ）に示すように、表示部１１は表示画面上に、「スライドショーモード」、「マルチ表示モード」、「シングル表示モード」のＧＵＩボタンを表示する。ユーザが操作部１４で「スライドショーモード」を選択し、決定した場合、制御部１５はステップＳ１０２以下のスライドショーモードの処理を実行する。
【００６４】
ステップＳ１０２の処理にて、制御部１５の表示割合決定手段１５ｄは、図４の（Ａ）に示すスライドショーモードの表示割合テーブルを記憶部１３からＲＡＭに書き込ませ、参照する。例えば、現在の日付がイベントの日付の１ヶ月前である場合、つまり、イベント待ち期間が１ヶ月である場合、関連画像の表示割合はスライドショーの写真画像の枚数に対して１０％の枚数である。現在の日付がイベントの日付の１週間前である場合、つまり、イベント待ち期間が１週間である場合、関連画像の表示割合はスライドショーの写真画像の枚数に対して３０％の枚数である。現在の日付がイベントの日付の１日前である場合、つまり、イベント待ち期間が１日である場合、関連画像の表示割合はスライドショーの写真画像の枚数に対して６０％の枚数である。このように、イベント待ち期間が短くになるに従って、関連画像の表示割合は増加し、スライドショーにおける再生すべき写真画像の枚数に対する関連画像の枚数は増加する。なお、表示割合は、表示枚数だけでなく表示時間を用いてもよい。
【００６５】
表示割合決定手段１５ｄは、表示割合テーブルに基づいて現在の日付におけるスライドショーの写真画像の枚数（例えば、５０枚、１００枚）に対して関連画像の表示割合を決定する（Ｓ１０３）。すなわち、制御部１５は、設定されている表示モードを確認し、そのときの表示モードの写真画像に対して関連画像の表示割合を決定する。
【００６６】
続いてステップＳ１０４の処理にて、制御部１５は、記憶部１３に格納された関連画像のリストから表示割合に相当する枚数の関連画像を選択する。
【００６７】
そしてステップＳ１０５の処理にて、制御部１５はステップＳ１０４の処理にて選択した関連画像が未表示かどうかを判断する。ステップＳ１０５の処理で、制御部１５は選択した関連画像が未表示であると判断した場合（Ｓ１０５：ＹＥＳ）、関連画像の割り込み表示の処理を実行する（Ｓ１０７）。また、ステップＳ１０５の処理で、制御部１５は選択した関連画像が未表示でないと判断した場合（Ｓ１０５：ＮＯ）、表示済みの関連画像を除く処理（Ｓ１０６）を実行する。
すなわち、ステップＳ１０６の処理にて、選択した関連画像が表示済みである場合（後述するステップＳ１０８の処理で関連画像にイベントリマインド済フラグが付与されている場合）、制御部１５は、選択した関連画像から表示済みの関連画像を除く。なお、選択した関連画像の全てが表示済みの場合、制御部１５は、イベントリマイド済フラグをクリアして表示済の関連画像を再度利用する。
【００６８】
次に、ステップＳ１０７の処理にて、制御部１５は、スライドショーで再生すべき所定枚数の写真画像に対して前記表示割合に相当する枚数の関連画像を割り込ませて、イベント関連画像群を生成する。ここで、割り込みの優先度は、日付の古い順である。なお、割り込みの優先度は、日付の新しい順、履歴（再生回数）、ランダム、ファイルナンバー順、写真画像の追加順、ユーザによって決定された重要度の高い順等でもよい。また選択された関連画像に、ステップＳ１８（図５）の処理にて関連テンプレートが検索されている場合、制御部１５はこのイベント関連画像群に関連テンプレートを組み込む。
【００６９】
そして、制御部１５の表示制御手段１５ｅは、表示部１１の表示画面にスライドショーモードでイベント関連画像群を表示させる（Ｓ１０７）。
【００７０】
具体的には、図１２の（Ａ）に示すように、現在の日付がイベントの日付の１カ月前になると、表示部１１は、スライドショーでイベント関連画像群の写真画像を順に表示し、１０枚の写真画像に対して１枚の関連画像を表示する。また、現在の日付がイベントの日付の１週間前になると、図１２の（Ｂ）に示すように表示部１１は、１０枚の写真画像対して３枚の関連画像を表示する。さらに現在の日付がイベントの１日前になると、図１２の（Ｃ）に示すように１０枚の写真画像に対して６枚の関連画像を表示する。このように、現在の日付がイベントの日付に近づくに従って、スライドショーで表示される写真画像の表示枚数のうち関連画像の表示枚数は増加するので、リマインド効果を生じさせるとともに、当事者の気持ちを徐々に盛り上げ、よりよい雰囲気を生じせる画像の表示ができる。
【００７１】
また、イベント関連画像群に関連テンプレートが組み込まれている場合、制御部１５は、表示部１１に表示された関連画像に関連テンプレートを同時に表示させる。表示部１１は、図１５に示すように、例えば、結婚記念日の写真画像に加えて、結婚記念日、「ケーキ入刀！！」の文字列を表示する。また、表示部１１は、図１６に示すように、例えば、誕生日の写真画像に加えて、誕生日の日付、「わーい！」、「Ｈａｐｐｙ  Ｂｉｒｔｈｄａｙ！！」の文字列を表示する。このように、イベント関連画像群に関連テンプレートを同時に表示するので、当事者の気持ちをさらに盛り上げることができる。
【００７２】
また、例えば、複数人の誕生日が続くとき、イベント待ち期間の短い順に誕生日の写真画像の枚数を増加させてもよい。このとき、関連画像に関連テンプレートとしての誕生日の日付を付加してもよい。
【００７３】
ステップＳ１０８の処理にて、制御部１５は、ステップＳ１０７で表示された関連画像に画像付属情報としてイベントリマインド済フラグを付与する（図３参照）。表示済みの関連画像は、次回のステップＳ１０５の処理にて、イベントリマインド済フラグが付与されているので未表示では無いと判断され（Ｓ１０５：ＮＯ）、ステップＳ１０６の処理にて表示関連画像から除かれる。
以上により、制御部１５は、画像表示処理（Ｓ３４）を終了させ、図５に示すステップＳ３５の処理を実行する。
【００７４】
ステップＳ３５の処理にて、制御部１５は、画像表示が終了したかどうかを判断し、終了したと判断した場合（Ｓ３５：ＹＥＳ）、画像再生装置１をスタンバイ状態にするか、又は、表示部１１に画像表示モード前に表示していた画面、若しくは、メインメニュー画面（図７参照）を表示させる（Ｓ２４）。また、制御部１５は、画像表示が終了していないと判断した場合（Ｓ３５：ＮＯ）、再度ステップＳ３５の処理を繰り返して実行する。
【００７５】
一方、ステップＳ１０９の処理にて、制御部１５は、マルチ表示モードが選択されたと判断した場合（Ｓ１０９：ＹＥＳ）、マルチ表示モードの表示割合テーブルを参照する（Ｓ１１０）。ステップＳ１０９の処理で、制御部１５は、マルチ表示モードが選択されない場合（Ｓ１０９：ＮＯ）、シングル表示モードの処理（Ｓ１１１）を実行する。
具体的には、ステップＳ１０９の処理にて、図１１の（Ｂ）に示す表示部１１の表示画面上において、ユーザが操作部１４で「マルチ表示モード」を選択した場合、制御部１５はステップＳ１１０以下のマルチ表示モードの処理を実行する。
【００７６】
そしてステップＳ１１０の処理にて、制御部１５の表示割合決定手段１５ｄは図４の（Ｂ）に示すマルチ表示モードの表示割合テーブルを記憶部１３からＲＡＭに書き込ませ、参照する。例えば、現在の日付がイベントの日付の１ヶ月前、つまり、イベント待ち期間が１カ月である場合、関連画像の表示割合は、例えば、３枚表示モードにおいて５画面分に相当する１５枚の写真画像に対して１枚である。現在の日付がイベントの日付の２日前、つまり、イベント待ち期間が２日間である場合、関連画像の表示割合は、例えば、４枚表示モードにおいて４枚の写真画像に対して２枚である。現在の日付がイベントの日付の１日前、つまり、イベント待ち期間が１日である場合、関連画像の表示割合は、例えば、４枚表示モードにおいて４枚の写真画像に対して３枚である。現在の日付がイベントの当日、つまり、イベント待ち期間がゼロである場合、関連画像の表示割合は、例えば、４枚表示モードにおいて４枚の写真画像に対して４枚である。このように、イベント待ち期間が短くになるに従って、マルチ表示モードにおける再生すべき写真画像の表示枚数のうち関連画像の表示枚数は増加する。
【００７７】
そして、ステップＳ１１０の処理後、制御部１５は上記で説明したステップＳ１０３〜ステップＳ１０６の処理を実行する。
【００７８】
ステップＳ１０７の処理にて、制御部１５は、マルチ表示モードにおける所定枚数の写真画像に対して前記表示割合に相当する枚数の関連画像を割り込ませて、イベント関連画像群を生成する。制御部１５の表示制御手段１５ｅは、表示部１１の表示画面にマルチ表示モードでイベント関連画像群を表示させ、上述したステップＳ１０８の処理を実行する。
【００７９】
具体的には、現在の日付がイベントの日付の２日前になると、図１３の（Ａ）に示すように表示部１１は、４枚表示モードにおいて４枚の写真画像に対して２枚の関連画像を表示する。また、現在の日付がイベントの日付の１日前になると、図１３の（Ｂ）に示すように表示部１１は、４枚表示モードにおいて４枚の写真画像に対して３枚の関連画像を表示する。さらに現在の日付がイベントの当日になると、図１３の（Ｃ）に示すように表示部１１は、４枚表示モードにおいて４枚の写真画像に対して４枚の関連画像を表示する。このように、現在の日付がイベントの日付に近づくに従って、マルチ表示モードで表示される写真画像の枚数のうち関連画像の枚数は増加するので、リマインド効果を生じさせるとともに、当事者の気持ちを徐々に盛り上げ、よりよい雰囲気を生じさせることができる。
【００８０】
一方、ステップＳ１１１の処理にて、ユーザが、図１１の（Ｂ）に示す表示部１１の表示画面において、操作部１４で「シングル表示モード」を選択する場合、制御部１５はステップＳ１１２以下のシングル表示モードの処理を実行する。
【００８１】
ステップＳ１１２の処理にて、制御部１５の表示割合決定手段１５ｄはシングル表示モードの表示割合テーブルを記憶部１３からＲＡＭに書き込ませ、参照する。現在の日付がイベントの日付の１カ月前、つまり、イベント待ち期間が１ヶ月である場合、図４の（Ｃ）に示すように、１枚の関連画像が固定写真画像の６時間の表示時間ごとに選択される。関連画像の表示割合は、固定写真画像の６時間の表示時間に対して５分間である。また、現在の日付がイベントの日付の２日前、つまり、イベント待ち期間が２日である場合、１枚の関連画像が３０分の表示時間の固定写真画像に対して選択される。つまり、１日（２４時間）で４８枚の関連画像が選択される。関連画像の表示時間は固定写真画像の３０分間の表示時間に対して２分間である。さらに現在の日付がイベントの日付の１日前、つまり、イベント待ち期間が１日である場合、１枚の関連画像が３０分の表示時間の固定写真画像に対して選択される。関連画像の表示時間は固定写真画像の３０分間の表示時間に対して５分間である。そして現在の日付がイベントの当日、つまり、イベント待ち期間がゼロである場合、固定写真画像は関連画像と置き換えられる。関連画像の表示時間は当日の０時から２４時間の表示時間に対して２４時間である。このように、イベント待ち期間が短くなるにつれて、シングル表示モードにおける関連画像の表示間隔は小さくなり、固定写真画像の表示時間に対して関連画像の表示時間は増加する。
【００８２】
ステップＳ１１２の処理が実行された後、制御部１５は上記ステップＳ１０３〜ステップＳ１０６の処理を実行する。続いてステップＳ１０７の処理にて、制御部１５は、シングル表示モードにおいて固定写真画像に対して前記表示間隔および前記表示割合に相当する表示時間で関連画像を割り込ませるようにイベント関連画像群を生成する。そして制御部１５の表示制御手段１５ｅは、表示部１１の表示画面にシングル表示モードにおいてイベント関連画像群を表示させる。
【００８３】
具体的には、現在の日付がイベントの１カ月前になると、図１４の（Ａ）に示すように表示部１１は、６時間のうち５時間５５分の間、固定写真画像を表示し、次の５分間に固定写真画像の代わりに１枚の関連画像を表示する。表示部１１は次の６時間で別の関連画像を同表示割合で表示する。以後、表示部１１は６時間ごとに同様の表示を繰り返す。また、現在の日付がイベントの１日前になると、図１４の（Ｂ）に示すように表示部１１には、３０分間のうち２５分間固定写真画像を表示し、次の５分間に固定写真画像の代わりに関連画像を表示する。以後、３０分ごとに同様の表示を繰り返す。このように、現在の日付がイベントの日付に近づくに従って、シングル表示モードにおける関連画像の表示間隔は小さくなり、固定写真画像の表示時間のうち関連画像の表示時間は増加するので、リマインド効果を生じさせるとともに、当事者の気持ちを徐々に盛り上げ、よりよい雰囲気を生じせることができる。
【００８４】
以上の実施形態によれば、イベントの日付の前からイベントに関連する過去の関連画像を表示するので、イベントのリマインド効果を生じさせ、家族のコミュニケーションを醸成する雰囲気作りを演出する画像再生をすることができる。
【００８５】
また、現在の日付がイベントの日付に近づくにつれて、関連画像の表示割合が増加するので、当事者の気持ちを徐々に盛り上げることができ、よりよい雰囲気作りを許容することができる。
【００８６】
また、現在の日付がイベントの日付に近づくにつれて、スライドショーモード又はマルチ表示モードにおいて関連画像の表示枚数が増加するので、当事者の気持ちを徐々に盛り上げることができ、よりよい雰囲気作りを許容することができる。
【００８７】
また、現在の日付がイベントの日付に近づくにつれて、シングル表示モードで関連画像の表示時間が増加するので、当事者の気持ちを徐々に盛り上げることができ、リマインド効果をより高めた画像再生をすることができる。
【００８８】
なお、以上の実施形態は本発明の趣旨を変更しない範囲で修正、変更可能である。
【００８９】
例えば、関連画像の検索は、イベント日付をリマインドするとき（ステップＳ３１とステップＳ３２の間）に実行してもよい。
【００９０】
また、関連画像の枚数に応じて関連画像の表示割合を変更してもよい。すなわち、イベントの関連画像が一定の枚数を超えて検索されたとき、再生すべき写真画像に対して、関連画像の表示割合を大きくしてもよい。例えば、関連画像が１００枚以上検索されたとき、関連画像の表示割合は３０％から６０％に大きくしてもよい。
【００９１】
また、イベントの種類が、例えば、結婚記念日の場合、結婚の日付（１１月２２日）の写真画像に加えて、結婚の日付の前年の日付（１１月２２日）、結婚の日付の後年の日付（１１月２２日）の写真画像を表示してもよい。また、結婚の日付から毎年の写真画像を表示してもよいし、結婚の日付から数年毎の写真画像を表示してもよい。この場合、デフォルトは毎年の写真画像とし、設定により、数年おきの写真画像、また、結婚の日の写真画像のみの表示としてもよい。
【００９２】
また、イベントの種類が、例えば、子供誕生日の場合、子供の年齢が所定の年数より少ない場合、例えば、現在の日付が誕生日から１、２年しか経過していない場合、誕生日と特定した日から１ヶ月目、２ヶ月目・・の写真画像を表示してもよい。
【００９３】
また、現在の日付がイベントの日付を過ぎたら、関連画像は全く表示しなくてもよく、関連画像の表示を減らしてもよい。また、イベント日付の設定（Ｓ１５）の後、制御部１５はイベント日付に一致する撮影日付の画像を検索して、図１７に示すように、検索した画像の一覧を表示部１１のＧＵＩ画面に表示させてもよい。そして、ユーザが画像一覧から画像を選択し、関連画像を決定してもよい。この場合、画像一覧の各画像はＧＵＩボタンとして設定されている。
【符号の説明】
【００９４】
１    画像再生装置
１０  フレーム
１１  表示部
１２  日付設定部
１３  記憶部
１４  操作部
１５  制御部
【図１】
2010258665.tif 000003
【図２】
2010258665.tif 000004
【図３】
2010258665.tif 000005
【図４】
2010258665.tif 000006
【図５】
2010258665.tif 000007
【図６】
2010258665.tif 000008
【図７】
2010258665.tif 000009
【図８】
2010258665.tif 000010
【図９】
2010258665.tif 000011
【図１０】
2010258665.tif 000012
【図１１】
2010258665.tif 000013
【図１２】
2010258665.tif 000014
【図１３】
2010258665.tif 000015
【図１４】
2010258665.tif 000016
【図１５】
2010258665.tif 000017
【図１６】
2010258665.tif 000018
【図１７】
2010258665.tif 000019